(57)【特許請求の範囲】
【請求項１】
基板と、
前記基板に敷設され、一対の電極を成す第１の固定側導電部及び第２の固定側導電部と、
前記基板に敷設され、前記第１、第２の固定側導電部よりも導電性が高く、前記第１の固定側導電部及び前記第２の固定側導電部にそれぞれ対応する第１の主導電パターン及び第２の主導電パターンと、
操作子の操作によって可動し、前記第１の固定側導電部及び前記第２の固定側導電部の双方に接触することで両者を電気的に短絡させる可動側導電部と、を有し、
前記第１の固定側導電部及び前記第２の固定側導電部はそれぞれ、少なくとも１つの短冊片により構成され、前記第１の固定側導電部を構成する短冊片と前記第２の固定側導電部を構成する短冊片とが交互に並列に配列され、
前記第１の固定側導電部を構成する短冊片は、少なくともその両端部において前記第１の主導電パターンに電気的に接続されると共に、前記第２の固定側導電部を構成する短冊片は、少なくともその両端部において前記第２の主導電パターンに電気的に接続され、
前記第１の固定側導電部及び前記第２の固定側導電部を構成する各短冊片の配列方向における配設ピッチについては、前記各短冊片の両端部の配設ピッチよりも前記各短冊片の延設方向中央部の配設ピッチの方が小さくなっていることを特徴とする電子楽器の操作子装置。
【請求項２】
基板と、
前記基板に敷設され、一対の電極を成す第１の固定側導電部及び第２の固定側導電部と、
前記基板に敷設され、前記第１、第２の固定側導電部よりも導電性が高く、前記第１の固定側導電部及び前記第２の固定側導電部にそれぞれ対応する第１の主導電パターン及び第２の主導電パターンと、
操作子の操作によって可動し、前記第１の固定側導電部及び前記第２の固定側導電部の双方に接触することで両者を電気的に短絡させる可動側導電部と、を有し、
前記第１の固定側導電部及び前記第２の固定側導電部はそれぞれ、少なくとも１つの短冊片により構成され、前記第１の固定側導電部を構成する短冊片と前記第２の固定側導電部を構成する短冊片とが交互に並列に配列され、
前記第１の固定側導電部を構成する短冊片は、少なくともその両端部において前記第１の主導電パターンに電気的に接続されると共に、前記第２の固定側導電部を構成する短冊片は、少なくともその両端部において前記第２の主導電パターンに電気的に接続され、
前記第１の固定側導電部は、前記第１の主導電パターンの上側において、前記第１の主導電パターンと同じ範囲に配設されるか、または、前記第１の主導電パターンに含まれる範囲でかつ前記第１の主導電パターンよりも狭い範囲に配設され、
前記第２の固定側導電部は、前記第２の主導電パターンの上側において、前記第２の主導電パターンと同じ範囲に配設されるか、または、前記第２の主導電パターンに含まれる範囲でかつ前記第２の主導電パターンよりも狭い範囲に配設されることを特徴とする電子楽器の操作子装置。
【請求項３】
基板と、
前記基板に敷設され、一対の電極を成す第１の固定側導電部及び第２の固定側導電部と、
前記基板に敷設され、前記第１、第２の固定側導電部よりも導電性が高く、前記第１の固定側導電部及び前記第２の固定側導電部にそれぞれ対応する第１の主導電パターン及び第２の主導電パターンと、
操作子の操作によって可動し、前記第１の固定側導電部及び前記第２の固定側導電部の双方に接触することで両者を電気的に短絡させる可動側導電部と、を有し、
前記第１の固定側導電部及び前記第２の固定側導電部はそれぞれ、少なくとも１つの短冊片により構成され、前記第１の固定側導電部を構成する短冊片と前記第２の固定側導電部を構成する短冊片とが交互に並列に配列され、
前記第１の固定側導電部を構成する短冊片は、少なくともその両端部において前記第１の主導電パターンに電気的に接続されると共に、前記第２の固定側導電部を構成する短冊片は、少なくともその両端部において前記第２の主導電パターンに電気的に接続され、
前記第１の固定側導電部は、前記第１の主導電パターン上に積層されており、
前記短冊片の延設方向における配設範囲について、前記第１の主導電パターンの配設範囲は、前記第１の固定側導電部を構成する短冊片の配設範囲を含んでおり、
前記第１の主導電パターンにおける前記第１の固定側導電部を構成する短冊片を積層する部分は、当該短冊片の延設方向において寸断されることなく連続しており、
前記第２の固定側導電部は、前記第２の主導電パターン上に積層されており、
前記短冊片の延設方向における配設範囲について、前記第２の主導電パターンの配設範囲は、前記第２の固定側導電部を構成する短冊片の配設範囲を含んでおり、
前記第２の主導電パターンにおける前記第２の固定側導電部を構成する短冊片を積層する部分は、当該短冊片の延設方向において寸断されることなく連続していることを特徴とする電子楽器の操作子装置。
【請求項４】
基板と、
前記基板に敷設され、一対の電極を成す第１の固定側導電部及び第２の固定側導電部と、
前記基板に敷設され、前記第１、第２の固定側導電部よりも導電性が高く、前記第１の固定側導電部及び前記第２の固定側導電部にそれぞれ対応する第１の主導電パターン及び第２の主導電パターンと、
操作子の操作によって可動し、前記第１の固定側導電部及び前記第２の固定側導電部の双方に接触することで両者を電気的に短絡させる可動側導電部と、を有し、
前記第１の固定側導電部及び前記第２の固定側導電部はそれぞれ、少なくとも１つの短冊片により構成され、前記第１の固定側導電部を構成する短冊片と前記第２の固定側導電部を構成する短冊片とが交互に並列に配列され、
前記第１の固定側導電部を構成する短冊片は、少なくともその両端部において前記第１の主導電パターンに電気的に接続されると共に、前記第２の固定側導電部を構成する短冊片は、少なくともその両端部において前記第２の主導電パターンに電気的に接続され、
前記第１の固定側導電部及び前記第２の固定側導電部と前記可動側導電部とを一組として複数組が１つの操作子に対応して設けられ、
前記複数組は、各組における前記第１の固定側導電部及び前記第２の固定側導電部を構成する各短冊片の延設方向に沿って配置されており、
前記各組の前記第１の固定側導電部を構成する短冊片とそれに隣接する前記第１の固定側導電部を構成する短冊片とは、互いに隣接する端部同士が物理的に接続されていることを特徴とする電子楽器の操作子装置。
【請求項５】
前記複数組は３組以上であることを特徴とする請求項４記載の電子楽器の操作子装置。
【請求項６】
前記第１の固定側導電部を構成する短冊片の数は奇数で、前記第２の固定側導電部を構成する短冊片の数は偶数であることを特徴とする請求項１〜５のいずれか１項に記載の電子楽器の操作子装置。
【請求項７】
前記第１の固定側導電部を構成する短冊片及び前記第２の固定側導電部を構成する短冊片の各々の長さは、前記短冊片の配列方向における中央から遠い短冊片ほど短くなっていることを特徴とする請求項１〜６のいずれか１項に記載の電子楽器の操作子装置。
【請求項８】
前記第１の固定側導電部または前記第２の固定側導電部を構成する短冊片であって前記短冊片の配列方向における両端に位置する短冊片は、その延設方向における両端部に亘って、対応する主導電パターンに接触することを特徴とする請求項１〜７のいずれか１項に記載の電子楽器の操作子装置。
【発明の詳細な説明】
【技術分野】
【０００１】
本発明は、操作子の操作によって可動側導電部で一対の固定側導電部を電気的に短絡させることで操作を検出する電子楽器の操作子装置に関する。
【背景技術】
【０００２】
従来、鍵盤楽器等の電子楽器の操作子装置において、プリント基板上に一対の固定側導電部が敷設され、この固定接点パターンに対向して、操作子によって可動する可動側導電部が設けられたものが知られている。この種の操作子装置では、下記特許文献１の第１４図等に例示されるように、固定側導電部については、一対の櫛歯型の接点パターンとして構成されるものが広く知られ、可動側導電部が一対の櫛歯型の固定接点パターンに当接すると、自身を介して両者を導通させる。一般に、固定側導電部及び可動側導電部はカーボン等で構成される。図１０（ｂ）及び図１０（ｃ）に、典型的な櫛歯型の固定接点パターンと円形の可動側導電部との当接の様子を模式図で示す。
【先行技術文献】
【特許文献】
【０００３】
【特許文献１】特開平８−２３５９５２号公報
【発明の概要】
【発明が解決しようとする課題】
【０００４】
図１０（ｂ）に示すように、一対の固定接点パターン２０２Ａ、２０２Ｂには、給電部である接続点ｐＳ、ｐＥにて外部配線パターン９８、９９が接続される。可動側導電部２０１が固定接点パターン２０２Ａ、２０２Ｂの櫛の一部を短絡させることでスイッチングがなされる。その際、可動側導電部２０１を経由して、接続点ｐＳから接続点ｐＥまでの導電経路が形成される。この導電経路の長さはＬ１１である。また、図１０（ｃ）に示す例では、接続点ｐＳから接続点ｐＥまでの導電経路の長さはＬ１２となる。
【０００５】
ここで、外部配線パターン９８、９９には、銅箔等の導電性の高い素材が用いられるが、固定接点パターン２０２Ａ、２０２Ｂ及び可動側導電部２０１には、コスト低減の観点から、銅箔よりも導電性の低いカーボンが広く用いられる。カーボンは銅箔と比べて電気抵抗が大きいことから、カーボンを通る導電経路が長すぎると抵抗特性が悪化する。すると、操作検出精度にも悪影響を与える。スイッチング時の導電経路は短い方が有利である。導電経路を短くするためには、可動側導電部２０１と固定接点パターン２０２Ａ、２０２Ｂとの当接位置から給電部までの距離だけでなく、可動側導電部２０１内に形成される導電経路も考慮するのが望ましい。
【０００６】
本発明は、上記従来技術の問題を解決するためになされたものであり、その目的は、スイッチング時の導電経路の抵抗特性を向上させることができる電子楽器の操作子装置を提供することにある。
【課題を解決するための手段】
【０００７】
上記目的を達成するために本発明の請求項１の電子楽器の操作子装置は、基板と、前記基板に敷設され、一対の電極を成す第１の固定側導電部及び第２の固定側導電部と、前記基板に敷設され、前記第１、第２の固定側導電部よりも導電性が高く、前記第１の固定側導電部及び前記第２の固定側導電部にそれぞれ対応する第１の主導電パターン及び第２の主導電パターンと、操作子の操作によって可動し、前記第１の固定側導電部及び前記第２の固定側導電部の双方に接触することで両者を電気的に短絡させる可動側導電部と、を有し、前記第１の固定側導電部及び前記第２の固定側導電部はそれぞれ、少なくとも１つの短冊片により構成され、前記第１の固定側導電部を構成する短冊片と前記第２の固定側導電部を構成する短冊片とが交互に並列に配列され、前記第１の固定側導電部を構成する短冊片は、少なくともその両端部において前記第１の主導電パターンに電気的に接続されると共に、前記第２の固定側導電部を構成する短冊片は、少なくともその両端部において前記第２の主導電パターンに電気的に接続され、前記第１の固定側導電部及び前記第２の固定側導電部を構成する各短冊片の配列方向における配設ピッチについては、前記各短冊片の両端部の配設ピッチよりも前記各短冊片の延設方向中央部の配設ピッチの方が小さくなっていることを特徴とする。
【発明の効果】
【０００８】
本発明によれば、スイッチング時の導電経路の抵抗特性を向上させることができる。
【０００９】
請求項６によれば、複数のスイッチを近接配置することが容易となる。請求項７によれば、可動側導電部の想定接触領域を考慮し、短冊片の敷設スペースの無駄を削減することができる。請求項８によれば、スイッチング時の着地が不安定になりがちな場所での抵抗特性を向上させることができる。
【図面の簡単な説明】
【００１０】
【図１】第１の実施の形態に係る操作子装置が適用される電子楽器の一部を示す模式図（図（ａ）、（ｂ））、１メイクスイッチにおける制御回路の部分構成図（図（ｃ））である。
【図２】一対の固定側導電部の具体例を示す模式図である。
【図３】図２に示す構成（図（ａ））、比較例の構成（図（ｂ））の各スイッチにおける導電経路を示す模式図である。
【図４】第１変形例の一対の固定側導電部の具体例を示す模式図（図（ａ））、第１変形例の構成の各スイッチにおける導電経路を示す模式図（図（ｂ））である。
【図５】第２変形例の一対の固定側導電部の具体例を示す模式図である。
【図６】第２の実施の形態に係る操作子装置が適用される電子楽器のスイッチ体付近を示す模式図（図（ａ））、制御回路の部分構成図（図（ｂ））である。
【図７】３組のスイッチのうち基板上に配設される固定側の構成を示す図（図（ａ））、第１、第２の主導電パターンを示す図（図（ｂ））である。
【図８】レジストを示す図（図（ａ））、３組の第１、第２の固定側導電部を示す図（図（ｂ））、図７（ａ）のＡ−Ａ線に沿う断面図（図（ｃ））である。
【図９】３組の第１、第２の固定側導電部の変形例を示す図（図（ａ）、（ｂ））である。
【図１０】比較例の構成の固定側導電部を示す模式図（図（ａ））、櫛歯型の固定接点パターンと円形の可動側導電部との当接の様子を模式図（図（ｂ）、（ｃ））である。
【発明を実施するための形態】
【００１１】
以下、図面を参照して本発明の実施の形態を説明する。
【００１２】
（第１の実施の形態）
図１（ａ）は、本発明の第１の実施の形態に係る操作子装置が適用される電子楽器の一部を示す模式図である。この電子楽器が有する鍵盤装置は、複数の演奏操作子として鍵９２を有する。鍵９２の下方に基板９３が配設され、基板９３上にスイッチ体１０が配設される。押下操作されると鍵９２は支点９１を中心に回動し、スイッチ体１０を駆動する。
【００１３】
なお、スイッチ体１０を駆動する駆動体としては鍵９２に限られず、ハンマであってもよい。例えば、図１（ｂ）に示すように、ハンマ９５が、鍵９２に対して回動軸部９４で回動自在に連結される。ハンマ９５は、支点８９で回動自在に配設される。基板９３はハンマ９５の上方に配置され、基板９３の下面にスイッチ体１０が配設される。鍵９２が押下操作されると、回動軸部９４を通じてハンマ９５が駆動され、ハンマ９５が支点８９を中心に回動し、スイッチ体１０を駆動する。
【００１４】
ところで、スイッチ体１０は、可動接点と固定接点とで１つの接点スイッチを構成する構成を基本とする。スイッチ体１０は、駆動体によって可動する可動側導電部１０１と、基板９３上に敷設された一対の固定側導電部１０２とを有し、これらが１つのスイッチＳＷを構成する。可動側導電部１０１が一対の固定側導電部１０２の双方に接触することで両者を電気的に短絡させ、スイッチングがなされる。スイッチＳＷは駆動体に対応して設けられ、本実施の形態では鍵９２の数だけ設けられる。以下では、説明の便宜上、鍵９２に対応するスイッチ数が１つである１メイク型のスイッチ体１０を例にとって説明する。
【００１５】
図１（ｃ）は、１メイクスイッチにおける制御回路の部分構成図である。各スイッチＳＷは、複数鍵分ごとにまとめてブロック化され、ブロックごとにマイコン９６に連結してブロックごとの時分割キースキャニングにより各種楽音制御が行われる。外部配線パターン９８、９９がマイコン９６に接続される。可動側導電部１０１が外部配線パターン９８、９９を導通させる。マイコン１１はＣＰＵ及び記憶部を含み、利用回路９７に連結される。この利用回路９７は、物理音を発生させたり各種楽音を形成したりする機能、及びアンプ、スピーカ等を含む楽音発生機能を果たす。
【００１６】
図２は、本実施の形態における一対の固定側導電部１０２の具体例を示す模式図である。この図は、基板９３の、固定側導電部１０２が配設される側の面を垂直な方向から見ている。
【００１７】
この一対の固定側導電部１０２は、一対の電極を成す第１の固定側導電部ｃＡ及び第２の固定側導電部ｃＢを有する。固定側導電部ｃＡ、ｃＢはいずれも全体として非櫛歯状である。すなわち、固定側導電部ｃＡ、ｃＢはそれぞれ、細長い短冊状の短冊片ｔＡ、ｔＢを有し、短冊片ｔＡ、ｔＢ（以下、それぞれを区別しない場合には、「短冊片ｔ」と記載する。その他の構成要素の符号に関しても同様である。）は平行に配列される。第１の固定側導電部ｃＡ及び第２の固定側導電部ｃＢにそれぞれ対応して、第１の主導電パターンｄＡ及び第２の主導電パターンｄＢが基板９３に敷設される。なお、外部配線パターン９８、９９のいずれかまたは双方、さらには、主導電パターンｄＡ、ｄＢのいずれかまたは双方は、基板９３の裏面に敷設されてもよい。主導電パターンｄＡ、ｄＢはそれぞれ、外部配線パターン９８、９９に電気的に接続されている。
【００１８】
短冊片ｔＡは、延設方向（長手方向）における第１端部ｔＡｆだけでなく、第２端部ｔＡｒも第１の主導電パターンｄＡに電気的に接続されている。短冊片ｔＢは、延設方向における第１端部ｔＢｆだけでなく、第２端部ｔＢｒも第２の主導電パターンｄＢに電気的に接続されている。
【００１９】
可動側導電部１０１及び各短冊片ｔはカーボン等の導電材料で構成される。しかしカーボン以外の導電材料を用いてもよく、例えば、金メッキのほか、感圧インク、銀ペースト、導電性フィラーとエポキシ樹脂等のバインダで構成される導電ペーストを採用してもよい。主導電パターンｄＡ、ｄＢは、短冊片ｔよりも導電性の十分に高い材料で形成され、例えば、銅箔パターンが採用される。
【００２０】
スイッチＳＷにおいて、可動側導電部が、対応する一対の固定側導電部の双方に接触することで両者を電気的に短絡させるスイッチング時に形成される導電経路について、比較例の構成と比較する。図３（ａ）は、図２に示す本実施の形態のスイッチＳＷにおける導電経路を示す模式図である。図３（ｂ）は、比較例のスイッチにおける導電経路を示す模式図である。
【００２１】
図３（ｂ）に示す比較例のスイッチでも短冊片が採用されるとし、各短冊片ｔには、従来例（図１０（ｂ）及び図１０（ｃ））のように、各々一方の端部において、給電部である接続点ｐＳ、ｐＥにて外部配線パターン９８、９９が接続される。可動側導電部１０１を経由して接続点ｐＳから接続点ｐＥまでに形成される導電経路の長さはＬ１である。
【００２２】
一方、本実施の形態のスイッチＳＷ（図２）では、短冊片ｔＡ、ｔＢには、各々両端部において、給電部である接続点ｐＳ、ｐＥにて、主導電パターンｄＡ、ｄＢを介して外部配線パターン９８、９９が接続される。従って、図３（ａ）に示すように、第１端部ｔＡｆ、ｔＢｆ側で、可動側導電部１０１を経由して接続点ｐＳから接続点ｐＥまでに導電経路が形成されると共に、第２端部ｔＡｒ、ｔＢｒ側でも、可動側導電部１０１を経由して接続点ｐＳから接続点ｐＥまでに導電経路が形成される。これら２つの導電経路の長さはいずれもＬ２である。
【００２３】
導電経路の抵抗値はその長さに比例する。ここで、従来と本実施の形態とで、可動側導電部１０１及び短冊片ｔの材料はカーボンで共通であるとする。長さの比較ではＬ２≦Ｌ１であるので、１つの導電経路同士を比較すると、抵抗値は、比較例≧本実施の形態となる。更に、本実施の形態では、長さＬ２の導電経路が並列に２つ形成されるので、本実施の形態における合成抵抗の値は、比較例の抵抗値よりも確実に小さく、１／２以下にすることができる。
【００２４】
したがって、本実施の形態によれば、可動側導電部１０１及び固定側導電部１０２で形成されるスイッチング時の導電経路の抵抗特性を向上させることができる。これにより、操作検出精度を高めることができる。
【００２５】
次に、図４、図５を用いて、第１の実施の形態の変形例を説明する。
【００２６】
図４（ａ）は、第１変形例の一対の固定側導電部１０２の具体例を示す模式図である。図２の構成では、短冊片ｔＡ、ｔＢは長方形であるので、短冊片ｔＡ、ｔＢの配設ピッチＰは、幅方向（配列方向）に直交する方向（延設方向）のどの位置でも共通である。配設ピッチＰは、配列方向の中間位置同士の距離で定義する。なお、隣接する短冊片ｔＡ、ｔＢ間の最も近い部分同士の間隔Ｄで表現すると、間隔Ｄは、短冊片ｔＡ、ｔＢの延設方向のどの位置でも共通である。
【００２７】
これに対し、第１変形例（図４（ａ））では、短冊片ｔＡ、ｔＢは、単純な長方形ではなく、第１端部ｔＡｆ、ｔＢｆ、第２端部ｔＡｒ、ｔＢｒの側が、延設方向中央部よりも幅方向外側に偏倚している。配設ピッチについては、短冊片ｔＡ、ｔＢの両端部の配設ピッチＰ２よりも短冊片ｔＡ、ｔＢの延設方向中央部の配設ピッチＰ１の方が小さい。間隔Ｄについても、両端部よりも延設方向中央部の方が小さい。なお、端部の配設ピッチＰ２は、図２の配設ピッチＰとほぼ同じ値である（Ｐ１＜Ｐ２≒Ｐ）。
【００２８】
図４（ｂ）は、図４（ａ）に示す第１変形例のスイッチＳＷにおける導電経路を示す模式図である。この例において、接続点ｐＳ、ｐＥの位置は図３（ａ）の例と同じである。しかし、延設方向中央部の配設ピッチＰ１が小さいことで、可動側導電部１０１内の導電経路がより短くなる。その結果、可動側導電部１０１を経由して接続点ｐＳから接続点ｐＥまでに形成される導電経路の長さＬ３は長さＬ２に対して同等以下となる（Ｌ３≦Ｌ２）。よって、導電経路全長の抵抗値は、図２の構成よりも短くすることが容易となり、抵抗特性向上に有利となる。
【００２９】
図５は、第２変形例の一対の固定側導電部１０２の具体例を示す模式図である。固定側導電部ｃＡ、ｃＢをそれぞれ構成する短冊片ｔＡ（ｔＡ１、ｔＡ２）、ｔＢ（ｔＢ１、ｔＢ２）はそれぞれ複数であってもよい。短冊片ｔＡと短冊片ｔＢは交互に並列に配列される。第２変形例（図５）では、短冊片ｔＡ、ｔＢが２つずつである構成を例示する。短冊片ｔＡ１、ｔＢ１、ｔＡ２、ｔＢ２の順に並んでいる。ただし、両端部での主導電パターンｄＡ、ｄＢへの接続は簡単ではないため、主導電パターンｄＡ、ｄＢを短冊片ｔＡ、ｔＢの下側にも延ばして配設する。
【００３０】
図５に示すように、基板９３上において短冊片ｔＡ１、ｔＡ２の下にも、第１の主導電パターンｄＡが延設されている。これにより、実質的に、第１端部ｔＡ１ｆ及び第２端部ｔＡ１ｒが略同電位となり、第１端部ｔＡ２ｆ及び第２端部ｔＡ２ｒも略同電位となる。同様に、短冊片ｔＢ１、ｔＢ２の下にも、第２の主導電パターンｄＢが延設されている。これにより、実質的に、第１端部ｔＢ１ｆ及び第２端部ｔＢ１ｒが略同電位となり、第１端部ｔＢ２ｆ及び第２端部ｔＢ２ｒも略同電位となる。
【００３１】
この例でも、第１変形例（図４（ａ））と同様に、各短冊片ｔの両端部（第１端部ｔＡ２ｆ、ｔＢ１ｆの側、第２端部ｔＡ２ｒ、ｔＢ１ｒの側）よりも延設方向中央部の配設ピッチの方が小さくなっている。これにより、固定側導電部ｃＡ、ｃＢがそれぞれ２以上の短冊片ｔを有する構成においても、導電経路全長の抵抗値を図２の構成よりも短くすることが容易となり、抵抗特性向上に有利となる。なお、短冊片ｔの形状としては、短冊状であればよく、直線部を有しなくてもよく、全体が湾曲した形状であってもよい。
【００３２】
（第２の実施の形態）
第１の実施の形態では、スイッチ体１０が有するスイッチＳＷが１つである構成を示した。しかし、スイッチＳＷの数は２以上であってもよく、本発明の第２の実施の形態では３つの構成を例示する。
【００３３】
図６（ａ）は、第２の実施の形態に係る操作子装置が適用される電子楽器のスイッチ体１０付近を示す模式図である。駆動体としては鍵９２とするが、ハンマ９５であってもよい。スイッチ体１０は３メイク型であり、スイッチＳＷとしては、一対の固定側導電部１０２と可動側導電部１０１との組として３組（ＳＷ１〜ＳＷ３）が存在する。スイッチＳＷ１〜ＳＷ３は鍵９２の長手方向に一列に配置される。可動側導電部１０１−１と一対の固定側導電部１０２−１との組がスイッチＳＷ１、可動側導電部１０１−２と一対の固定側導電部１０２−２との組がスイッチＳＷ２、可動側導電部１０１−３と一対の固定側導電部１０２−３との組がスイッチＳＷ３である。
【００３４】
図６（ｂ）は、制御回路の部分構成図である。スイッチＳＷ１、ＳＷ２、ＳＷ３はそれぞれ、第１の主導電パターンｄＡを介して外部配線パターン９８に接続されている。また、スイッチＳＷ１、ＳＷ２、ＳＷ３はそれぞれ、第２の主導電パターンｄＢ−１、ｄＢ−２、ｄＢ−３を介して、外部配線パターン９９−１、９９−２、９９−３に接続される。第２の主導電パターンｄＢ−１、ｄＢ−２、ｄＢ−３は基板９３に形成されたスルーホール８１（８１−１、８１−２、８１−３）を通じて外部配線パターン９９−１、９９−２、９９−３に接続されている。スルーホール８１は各スイッチＳＷに２つずつ設けられる。制御回路のその他の構成は第１の実施の形態と同様である。
【００３５】
図７（ａ）は、３組のスイッチＳＷのうち基板９３上に配設される固定側の構成を示す図である。図７（ｂ）は、第１の主導電パターンｄＡ及び第２の主導電パターンｄＢを示す図である。図８（ａ）は、レジストを示す図である。図８（ｂ）は、３組の第１の固定側導電部ｃＡ及び第２の固定側導電部ｃＢを示す図である。図８（ｃ）は、図７（ａ）のＡ−Ａ線に沿う断面図である。
【００３６】
まず、図８（ｃ）にも一部を示したように、スイッチＳＷのうち固定側の構成は、基板９３上に主導電パターンｄＡ、ｄＢが敷設され、主導電パターンｄＡ、ｄＢの上側に絶縁材であるレジスト７０が介在し、レジスト７０の上側に固定側導電部ｃＡ、ｃＢが敷設される３層構造となっている。
【００３７】
図８（ｂ）に示すように、第１の固定側導電部ｃＡ（ｃＡ−１、ｃＡ−２、ｃＡ−３）及び第２の固定側導電部ｃＢ（ｃＢ−１、ｃＢ−２、ｃＢ−３）が、固定側導電部１０２−１、１０２−２、１０２−３を構成する。第１の固定側導電部ｃＡ−１は、短冊片ｔＡ１、ｔＡ２、ｔＡ３を有し、第２の固定側導電部ｃＢ−１は短冊片ｔＢ１、ｔＢ２を有する。このように、第１の固定側導電部ｃＡを構成する短冊片ｔの数を奇数とし、第２の固定側導電部ｃＢを構成する短冊片ｔの数を偶数としてもよい。ただし、各固定側導電部ｃＡ、ｃＢを構成する短冊片ｔの数は、このような例に限定されなくてもよく、各固定側導電部ｃＡ、ｃＢを構成する短冊片ｔの数を複数とする場合、各固定側導電部ｃＡ、ｃＢを構成する短冊片ｔの数は偶数及び奇数のいずれであってもよい。
【００３８】
図７（ｂ）に示すように、第１の主導電パターンｄＡは、３つの第１の固定側導電部ｃＡ−１、ｃＡ−２、ｃＡ−３に共通のコモン導電部となっていて、一体に形成される。一方、第２の主導電パターンｄＢについては、３つの第２の固定側導電部ｃＢ−１、ｃＢ−２、ｃＢ−３に対応して、第２の主導電パターンｄＢ−１、ｄＢ−２、ｄＢ−３が、互いに物理的に離間して形成される。主導電パターンｄＢ−１、ｄＢ−２、ｄＢ−３はそれぞれ２つずつ形成される。主導電パターンｄＢ−１、ｄＢ−２、ｄＢ−３には、スルーホール８１（８１−１、８１−２、８１−３）に対応して穴８２（８２−１、８２−２、８２−３）が形成される。
【００３９】
図８（ｂ）を参照し、３つの固定側導電部ｃＡ、ｃＢのうち代表して、固定側導電部ｃＡ−１、ｃＢ−１について詳細に説明する。短冊片ｔは、短冊片ｔＡ１、ｔＢ１、ｔＡ２、ｔＢ２、ｔＡ３の順に並ぶ。短冊片ｔの配置方向（図８（ｂ）では左右方向）は、各短冊片ｔの延設方向（図８（ｂ）では上下方向）に略直交している。また、スイッチＳＷ１〜ＳＷ３は、各短冊片ｔの延設方向に沿って配置されている。これによって、これらの短冊片ｔの配列方向は、スイッチＳＷ１〜ＳＷ３の配置方向（鍵９２の長手方向）に略直交する。５つの短冊片ｔの配列方向の中央に、第１の固定側導電部ｃＡ−１を構成する短冊片ｔＡ２が位置し、この短冊片ｔＡ２の長さは５つの短冊片ｔのうち最も長い。そして、５つの短冊片ｔの各々の長さは、配列方向における中央から遠い短冊片ｔほど短い。従って、５つの短冊片ｔで形成される全体形状は、配列方向に長い楕円形を呈している。鍵９２及びハンマ９５の動作に鑑みると、短冊片ｔの配列方向に直交する方向において可動側導電部１０１が接触すると想定される固定側導電部１０２の領域は、配列方向の中央から遠いほど短いと考えられる。そのため、配列方向の中央から遠い短冊片ｔを長く形成しても、可動側導電部１０１と接触しない部分が増えてしまうだけであり、あまり意味はない。そこで、長さについてはｔＡ１＝ｔＡ３＜ｔＢ１＝ｔＢ２＜ｔＡ２としている。これにより、短冊片ｔの敷設スペースの無駄を削減することができる。
【００４０】
また、短冊片ｔの配設ピッチについては、図４（ａ）及び図５で示した構成を採用している。すなわち、各短冊片ｔの両端部の配設ピッチよりも延設方向中央部の配設ピッチの方が小さい。間隔についても、各短冊片ｔの両端部よりも延設方向中央部の方が小さい。
【００４１】
図８（ａ）に示すように、レジスト７０には、スルーホール８１（８１−１、８１−２、８１−３）に対応して穴８３（８３−１、８３−２、８３−３）が形成される。レジスト７０にはさらに、互いに積層関係にある主導電パターンｄＡ、ｄＢと固定側導電部ｃＡ、ｃＢとを導通させるための導通穴ｈが複数形成されている。固定側導電部ｃＡ−１、ｃＢ−１に対応する構成について述べると、導通穴ｈ１〜ｈ８が形成される。具体的には、短冊片ｔＢ１の第１端部ｔＢ１ｆ、第２端部ｔＢ１ｒに相当する位置に導通穴ｈ２、ｈ６が形成される。短冊片ｔＡ２の第１端部ｔＡ２ｆ、第２端部ｔＡ２ｒに相当する位置に導通穴ｈ３、ｈ７が形成される。短冊片ｔＢ２の第１端部ｔＢ２ｆ、第２端部ｔＢ２ｒに相当する位置に導通穴ｈ４、ｈ８が形成される。短冊片ｔＡ１に対応して導通穴ｈ１が形成される。短冊片ｔＡ３に対応して導通穴ｈ５が形成される。
【００４２】
図７（ｂ）、図８（ａ）、及び図８（ｂ）を参照してわかるように、短冊片ｔＡ１、ｔＡ２、ｔＡ３は、導通穴ｈ１、ｈ３、ｈ７、ｈ５を通じて第１の主導電パターンｄＡに接触し、電気的に導通している。短冊片ｔＢ１、ｔＢ２は、導通穴ｈ２、ｈ４、ｈ６、ｈ８を通じて第２の主導電パターンｄＢに接触し、電気的に導通している。特に、短冊片ｔＡ２については両端部（ｔＡ２ｆ、ｔＡ２ｒ）で第１の主導電パターンｄＡに接触するので、両端部は実質的に略同電位となっている。短冊片ｔＢ１、ｔＢ２についても、各々の両端部（ｔＢ１ｆ、ｔＢ１ｒ、ｔＢ２ｆ、ｔＢ２ｒ）で第２の主導電パターンｄＢに接触するので、各々の両端部は実質的に略同電位となっている。
【００４３】
なお、短冊片ｔＡ１、ｔＡ３については長さが短いので、対応する導通穴ｈは１箇所とし、短冊片ｔＡ１、ｔＡ３の延設方向における両端部に亘って第１の主導電パターンｄＡに接触させて導電効率を高めたが、両端部に相当する位置に導通穴ｈを設けてもよい。また、短冊片ｔＡ２、ｔＢ１、ｔＢ２については、延設方向の中間位置に対応する導通穴ｈを追加し、両端部に加えて延設方向の中間位置でも主導電パターンｄＡ、ｄＢに接触させてもよい。固定側導電部ｃＡ−２、ｃＡ−３、ｃＢ−２、ｃＢ−３及びこれらに対応する導通穴ｈの構成は、固定側導電部ｃＡ−１、ｃＢ−１及びこれらに対応する導通穴ｈと同様である。
【００４４】
ところで、固定側導電部ｃＡ、ｃＢと主導電パターンｄＡ、ｄＢとの配設範囲の関係は次のようになっている。図８（ｃ）に一部が例示されるように、固定側導電部ｃＡ、ｃＢは、主導電パターンｄＡ、ｄＢの上側において、主導電パターンｄＡ、ｄＢに含まれる範囲に配設される。具体的には、固定側導電部ｃＡ、ｃＢは、主導電パターンｄＡ、ｄＢよりも狭い範囲又は同じ範囲に配設される。つまり、主導電パターンｄＡ、ｄＢは、固定側導電部ｃＡ、ｃＢよりやや大きく形成されか又は同じ大きさに形成されており、これにより、固定側導電部ｃＡ、ｃＢは、主導電パターンｄＡ、ｄＢをはみ出さない範囲に形成されている。したがって、本実施の形態では、第１の固定側導電部ｃＡは、第１の主導電パターンｄＡ上に積層されており、短冊片ｔの延設方向における配置範囲について、第１の主導電パターンｄＡの配設範囲は、第１の固定側導電部ｃＡを構成する短冊片ｔの配設範囲を含んでいる。同様に、第２の固定側導電部ｃＢは、第２の主導電パターンｄＢ上に積層されており、短冊片ｔの延設方向における配置範囲について、第２の主導電パターンｄＢの配設範囲は、第２の固定側導電部ｃＢを構成する短冊片ｔの配設範囲を含んでいる。
【００４５】
カーボン等で形成される固定側導電部ｃＡ、ｃＢは、銅箔等で形成される主導電パターンｄＡ、ｄＢよりも形成精度及び位置精度が悪い。そのため、短絡リスクを避けるためには、主導電パターンｄＡ、ｄＢよりも、固定側導電部ｃＡ、ｃＢは、互いに離間させなければならないのが一般的である。これに対して、本実施形態では、上記のとおり、各固定側導電部ｃＡ、ｃＢは、各主導電パターンｄＡ、ｄＢをはみ出さない範囲に形成される。これによって、各固定側導電部ｃＡ、ｃＢは各主導電パターンｄＡ、ｄＢ上に確実に形成されるため、各固定側導電部ｃＡ、ｃＢにおける可動側導電部１０１の接触する面が平滑化されやすくなる。また、各固定側導電部ｃＡ、ｃＢの平らの部分に可動側導電部１０１が当接するようにできるため、回路信頼性を高めることができる。
【００４６】
なお、コスト削減及びコンパクト化の観点からは、各短冊片ｔの延設方向における配設範囲について、固定側導電部ｃＡ、ｃＢは主導電パターンｄＡ、ｄＢと形状的に一致し（合同で）、両者が位置ずれなくぴったりと重なるのが好ましい。しかし、上記配設範囲に関し、同電位でないパターン同士が短絡してしまうリスクの無い範囲において、両者間には、形状、位置及び大きさの少なくとも１つにおいて微妙な相違があってもかまわない。すなわち、主導電パターンｄＡ、ｄＢは、固定側導電部ｃＡ、ｃＢを構成する短冊片に倣った形状であればよい。言い換えると、主導電パターンｄＡ、ｄＢは、固定側導電部ｃＡ、ｃＢを構成する短冊片と略同一形状であって且つ配設範囲が略一致していればよい。
【００４７】
また、本実施の形態では、図８（ｂ）に例示されるように、各主導電パターンｄＡ、ｄＢにおいて、各固定側導電部ｃＡ、ｃＢを構成する各短冊片ｔを積層する部分は、各短冊片ｔの延設方向において寸断されることなく連続するように構成されている。仮に、主導電パターンｄＡ、ｄＢの一部が断続しているとすると、固定側導電部ｃＡ、ｃＢにおける可動側導電部１０１が接触する面の一部に低い領域が生じ、帯状接触領域が断続的になる。このような領域が多くなると、接触面積が減ってトータルの抵抗は上がってしまう。また、上記接触する面の高い位置の標高も不安定になるため、全体に接触面積の大きさが不安定になり、その結果、トータルの抵抗値も不安定になる。そのため、これを避けるため、主導電パターンｄＡ、ｄＢにおける各短冊片ｔを積層する部分は少なくとも、短冊片ｔの延設方向において寸断されることなく連続するように構成されるのが好ましい。
【００４８】
図８（ｂ）に示すように、第１の固定側導電部ｃＡ−１、ｃＡ−２、ｃＡ−３のそれぞれにおける配列方向中央の短冊片ｔＡ２は、共通の第１の主導電パターンｄＡによって接続されている。すなわち、互いに隣接する組同士の関係において、隣接する一方の組の短冊片ｔＡ２と他方の組の短冊片ｔＡ２とは、互いに隣接する端部同士が物理的に接続されている。これにより、第１の固定側導電部ｃＡ−１、ｃＡ−２、ｃＡ−３を構成する全ての短冊片ｔＡ１、ｔＡ２が互いに電気的に導通状態となっている。なお、第１の固定側導電部ｃＡ−１、ｃＡ−２、ｃＡ−３を構成する少なくとも１組の短冊片ｔＡ１、ｔＡ２が互いに電気的に導通状態となっていてもよい。
【００４９】
ここで、配列方向中央の短冊片ｔＡ２は、互いに隣接する端部同士の距離が他の短冊片ｔに比べて近い。通常、複数のスイッチＳＷをコンパクトに一列に配置する場合、最も近接する短冊片ｔ同士の間隔を極力短くし、且つ間隔を確実に確保する必要がある。しかし、本実施の形態では、３つの短冊片ｔＡ２が同電位でもよいという構成であるので、短冊片ｔＡ２同士の間隔を短く設定するのが容易である。あるいは、隣接する短冊片ｔＡ２同士を連続形成しても問題ない構成となっている。例えば、図９（ａ）に例示するように、隣接する短冊片ｔＡ２同士の間隔を設計上は０とし、短冊片ｔＡ２同士が断続しても連続してもよい構成としてもよい。あるいは、図９（ｂ）に例示するように、隣接する短冊片ｔＡ２同士が連続し、結果として３つの短冊片ｔＡ２が連続する構成であってもよい。スイッチＳＷが３組以上である場合、このような構成は櫛歯型の固定側導電部では実現困難なものである。本実施の形態では、複数のスイッチＳＷを近接配置することが容易となっている。
【００５０】
このことを図１０（ａ）と対比して説明する。図１０（ａ）は、比較例の構成の固定側導電部を示す模式図である。１つ目のスイッチにおいては、第１の固定側導電部ｃＡ−１を構成する短冊片ｔＡと、第１の固定側導電部ｃＢ−１を構成する短冊片ｔＢとが交互に配置される。２つ目のスイッチにおいては、第１の固定側導電部ｃＡ−２を構成する短冊片ｔＡと、第１の固定側導電部ｃＢ−２を構成する短冊片ｔＢとが交互に配置されるが、配置順序が１つ目のスイッチとは異なり互い違いとなっている。短冊片ｔＡと短冊片ｔＢとは電気的に導通させてはならないため、短冊片ｔＡと短冊片ｔＢとの隣接する端部同士の間隔を確実に確保するために、製造誤差も考慮して設計上の余裕を設ける必要がある。これにより、本実施の形態と比べると、スイッチ間の近接配置において不利となる。
【００５１】
なお、スイッチ間の近接配置を有利にする観点からは、このような構成を、短冊片ｔＡ２以外の特定の短冊片ｔの関係に適用してもよい。特定の短冊片ｔ同士の互いに隣接する端部同士を電気的に接続し、すべてのスイッチＳＷにおける特定の短冊片ｔが互いに電気的に導通状態となるようにしてもよい。
【００５２】
本実施の形態によれば、各短冊片ｔＡ、ｔＢは、少なくともその両端部において主導電パターンｄＡ、ｄＢに接続されるので、スイッチング時の導電経路の抵抗特性を向上させることに関し、第１の実施の形態と同様の効果を奏することができる。
【００５３】
また、各短冊片ｔの配設ピッチは、両端部よりも延設方向中央部の方が小さいので、導電経路を短くするのを容易にすることに関し、図４（ａ）及び図５の構成と同様の効果を奏することができる。
【００５４】
また、本実施の形態によれば、主導電パターンｄＡ、ｄＢをはみ出さない範囲に形成しているため、固定側導電部ｃＡ、ｃＢにおいて、可動側導電部１０１が接触する面を平滑化しやすくなっており、これによって、回路信頼性を高めることができる。
【００５５】
また、本実施の形態では、互いに隣接するスイッチＳＷ同士の関係において、短冊片ｔＡ２同士の互いに隣接する端部同士が物理的に接続されている。すなわち、第１の固定側導電部ｃＡ及び第２の固定側導電部ｃＢと可動側導電部１０１とを一組として複数組（本実施の形態では、３組）が１つの操作子（スイッチ体１０）に対応して設けられ、当該複数組が各短冊片ｔの延設方向に沿って配置されており、かつ各組の第１の固定側導電部ｃＡを構成する中央の短冊片ｔＡ２とそれに隣接する組の第１の固定側導電部ｃＡを構成する中央の短冊片ｔＡとは、互いに隣接する端部同士が物理的に接続されている。これにより、複数のスイッチＳＷを近接配置することが容易となるため、デザインの自由度を高め、且つコストを削減することができる。なお、「複数組が各短冊片の延設方向に沿って配置される」とは、隣接する組の中央に配置される短冊片の端部同士が物理的に連結できる程度に、複数組の配置方向と各短冊片の延設方向とが一致し、各短冊片の配置方向と延設方向とが直交する状態を指す。
【００５６】
また、本実施の形態では、各第１の固定側導電部ｃＡ（ｃＡ−１、ｃＡ−２、ｃＡ−３）は３つの短冊片ｔＡ（ｔＡ１、ｔＡ２、ｔＡ３）を有しており、各第２の固定側導電部ｃＢ（ｃＢ−１、ｃＢ−２、ｃＢ−３）は２つの短冊片ｔＢ（ｔＢ１、ｔＢ２）を有している。このように、第１の固定側導電部を構成する短冊片の数を奇数にし、第２の固定側導電部を構成する短冊片の数を偶数にすることで、第１及び第２の固定側導電部を構成する短冊片の数をトータルで奇数にし、かつ第１の固定側導電部の１つの短冊片が全体の中央に配置されるようにすることができる。これにより、中央の短冊片の長さを長くし、かつ両側ほど各短冊片の長さを短くすることで、第１及び第２の固定側導電部の全体形状を楕円形状にすることができる。可動側導電部の当接位置の確率分布は楕円形状になるため、第１及び第２の固定側導電部の全体形状を楕円形状にすることで、第１及び第２の固定側導電部と可動側導電部とを効率よく接するようにすることができる。また、複数のスイッチＳＷを配置する場合に、図９（ａ）及び図９（ｂ）に例示されるように、第１の固定側導電部の中央に配置される短冊片ｔＡ２を物理的に接続するようにして同電位に設定すれば、複数のスイッチＳＷ間で短絡可能であるため、複数のスイッチＳＷを近接配置することが容易になる。
【００５７】
また、固定側導電部ｃＡ、ｃＢを構成する短冊片ｔの各々の長さは、配列方向における中央から遠い短冊片ｔほど短いので、可動側導電部１０１の想定接触領域を考慮し、短冊片ｔの敷設スペースの無駄を削減することができる。
【００５８】
なお、最低限、配列方向における中央から最も遠い、両端の短冊片ｔ（ｔＡ１、ｔＡ３）についてだけでも第１の主導電パターンｄＡに対して全面積で接触するようにしてもよい。その場合、例えば、導通穴ｈ１、ｈ５をそれぞれ短冊片ｔＡ１、ｔＡ３より大きくしてもよい。同様に、両端の短冊片ｔのうちいずれかまたは双方が短冊片ｔＢである構成とした場合にも、その短冊片ｔＢが、第２の主導電パターンｄＢに対して全面積で接触するようにしてもよい。すなわち、第１の固定側導電部又は第２の固定側導電部を構成する短冊片であって配列方向の両端に位置する短冊片は、延設方向における両端部に亘って、対応する主導電パターンに接触するように構成されてもよい。これによって、両端の短冊片ｔは、可動側導電部１０１の着地が不安定になりがちであるが、全面積での接触により抵抗値が下がるため、抵抗特性が向上し、操作検出精度を高めることができる。
【００５９】
なお、本発明は、演奏操作子以外の操作子にも適用でき、さらには、鍵盤楽器以外の電子楽器にも適用可能である。
【００６０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６１】
９３  基板、  １０１  可動側導電部、  １０２  固定側導電部、  ｔ  短冊片、  ＳＷ  スイッチ、  ｃＡ  第１の固定側導電部、  ｃＢ  第２の固定側導電部、  ｄＡ  第１の主導電パターン、  ｄＢ  第２の主導電パターン、  ｔＡｆ、ｔＢｆ  第１端部、  ｔＡｒ、ｔＢｒ  第２端部、  Ｐ１、Ｐ２  配設ピッチ
【図１】
0006724698.tif 000002
【図２】
0006724698.tif 000003
【図３】
0006724698.tif 000004
【図４】
0006724698.tif 000005
【図５】
0006724698.tif 000006
【図６】
0006724698.tif 000007
【図７】
0006724698.tif 000008
【図８】
0006724698.tif 000009
【図９】
0006724698.tif 000010
【図１０】
0006724698.tif 000011